(57)【要約】【課題】運搬作業の効率を向上させると共に、作業コストの低減を図ることができるデッキプレートを提供する。【解決手段】底板１４と、底板１４の上面に設けられ、底板１４の長さ方向に伸びる複数の弦材１６，１８と、弦材１６，１８の軸線回りに回動可能に設けられた複数のラチス材２０，２２を有する配筋構造１５と、配筋構造１５の弦材１６，１８の上下方向の位置を固定する固定部材２６と、を備えた。【選択図】図１
2020139289.tif 000002
【特許請求の範囲】
【請求項１】
底板と、
前記底板の上面に設けられ、前記底板の長さ方向に伸びる複数の弦材と、前記弦材の軸線回りに回動可能に設けられた複数のラチス材を有する配筋構造と、
前記配筋構造の前記弦材の上下方向の位置を固定する固定部材と、を備えた
ことを特徴とするデッキプレート。
【請求項２】
前記配筋構造は、
前記底板の上面より上方に所定の間隔をおいて配置された上弦材と、
前記上弦材より下方に、前記上弦材を挟んで前記底板の幅方向に略左右対称に配置された２つの下弦材と、
前記上弦材と前記２つの下弦材のそれぞれの間を繋ぐように設けられた２つの上ラチス材と、
前記２つの下弦材のそれぞれと前記底板の上面の間を繋ぐように設けられた２つの下ラチス材と、を備え、
前記２つの下ラチス材のそれぞれが、前記底板の上面に対して回動可能に設けられた
ことを特徴とする請求項１に記載のデッキプレート。
【請求項３】
前記配筋構造は、
前記底板の上面より上方に所定の間隔をおいて配置された上弦材と、
前記上弦材より下方に、前記上弦材と略平行に伸びる軸部材と、
前記上弦材と前記軸部材の間に、前記上弦材と前記軸部材の中心を通る中央線を挟んで前記底板の幅方向に略左右対称に配置された２つの下弦材と、
前記上弦材と前記２つの下弦材のそれぞれの間を繋ぐように設けられた２つの上ラチス材と、
前記２つの下弦材のそれぞれと前記軸部材の間を繋ぐように設けられた２つの下ラチス材と、を備え、
前記軸部材が、前記底板の上面に対して回動可能に設けられた
ことを特徴とする請求項１に記載のデッキプレート。
【請求項４】
前記底板の上面にスペーサー部材が設けられ、
前記配筋構造は、前記スペーサー部材を介して、前記底板の上面より上方に所定の間隔をおいて設けられた
ことを特徴とする請求項１から３のいずれかに記載のデッキプレート。
【請求項５】
前記固定部材は、前記底板の上面に対して回動可能に設けられ、
前記固定部材の支持部が前記配筋構造の前記弦材に接触して支持することにより、前記配筋構造の前記弦材の上下方向の位置が固定されるよう構成された
ことを特徴とする請求項１から４のいずれかに記載のデッキプレート。
【発明の詳細な説明】
【技術分野】
【０００１】
本発明は、建築構造物の床スラブのような鉄筋コンクリートの構造物を形成するために用いられるデッキプレートに関するものである。
【背景技術】
【０００２】
建築構造物の上階と下階（下階が無い場合は基礎部）の間に設けられる板状の床構造であって、それ自体が垂直方向の荷重を支えて建築構造物の梁や柱に伝達するものを床スラブと呼び、Ｓ造やＳＲＣ造等の建築構造物においては、鉄筋コンクリート構造の床スラブを形成するために、コンクリートの打設時にはコンクリートの型枠として機能し、コンクリートの硬化後はそのまま床スラブの一部となるような、床スラブ用のデッキプレートが用いられていた（例えば特許文献１の図１参照）。
【０００３】
図１０及び図１１は、床スラブ用の従来のデッキプレート２について説明するために参照する図である。
【０００４】
従来のデッキプレート２は、図１０に示すように、底板４と、底板４の上面に設けられた複数（２つ）の配筋構造５を備えていた。
【０００５】
デッキプレート２の底板４は、図１０（ａ）に示すように、図中上下方向に所定の厚さを有する略長方形の板状に形成され、その幅方向（図中左右方向）の一方の端部には連結雄部４ａが、他方の端部には連結雌部４ｂが、それぞれ底板４の長さ方向（図の紙面に垂直方向）に沿って設けられていた。
【０００６】
デッキプレート２の配筋構造５は、図１０（ａ）に示すように、底板４の長さ方向（図の紙面に垂直方向）と略平行に伸びる丸棒状の上弦材６と、上弦材６と略平行に伸びる丸棒状の部材であって、上弦材６より下方に、上弦材６を挟んで底板４の幅方向（図中左右方向）に略左右対称に設けられた２つの下弦材７と、これらの上弦材６と２つの下弦材７の間を繋ぐように略ハの字状に設けられた２つのラチス材８を備えていた。
【０００７】
それぞれのラチス材８は、図１０（ｂ）に示すように、細長い丸棒状の部材をその長さ途中の複数の位置で曲げて、山部８ａと谷部８ｂが傾斜部８ｃを介して交互に連続するようなジグザグ状に形成されていた。
【０００８】
そして、２つのラチス材８は、図１０（ａ）に示すように、それぞれの山部８ｂが上弦材６の外周面を図中左右両側から挟み込むように配置されると共に、それぞれの傾斜部３ｃの長さ途中部に、２つの下弦材７の外周面がそれぞれ接触するように配置され、それぞれの接触部が溶接等により固定されていた。そして、２つのラチス材８のそれぞれの谷部８ｂは、底板４の上面に沿うように曲げられていた。
【０００９】
このような配筋構造５が、底板４の上面に複数（２つ）設けられ、それぞれの配筋構造５の２つのラチス材８のそれぞれの谷部８ｂと、底板４の上面の接触部が、溶接等により固定されていた。
【００１０】
これにより、配筋構造５の上弦材６及び２つの下弦材７が、底板４の上面より上方に所定の間隔をおいて配置されるようになっていた。
【００１１】
このような従来のデッキプレート２は、十分な強度や耐食性を有する鋼材を用いて形成され、鋼板により形成された底板４の上面に、棒鋼により形成された上弦材６及び下弦材７、ラチス材８からなる配筋構造５が、溶接等により固定されることにより形成されていた。
【００１２】
このような従来のデッキプレート２を用いて、コンクリートの床スラブを形成するには、図１１に示すように、まず、形成する床スラブの大きさに合わせて、複数のデッキプレート２をその幅方向（図中左右方向）に並べて配置する。
【００１３】
このとき、それぞれのデッキプレート２の底板４の連結雄部４ａが、これと隣り合って配置された別のデッキプレート２の底板４の連結雌部４ｂに連結され、それにより、全体で一枚の大きなデッキプレートが形成される。
【００１４】
そして、図１１に示すように、この一枚の大きなデッキプレートの外周部を囲むように型枠９を設け、コンクリート３を、型枠９とデッキプレート２の底板４に囲まれたその内側部に、デッキプレート２の配筋構造５がコンクリート３の内部に配置されるような厚さで打設する。
【００１５】
そして、コンクリートが乾燥して硬化した後に型枠９を取り外すことにより、デッキプレート２の底板４が底部となり、配筋構造５の上弦材６及び下弦材７がコンクリート３の内部に配置された板状の床スラブ１が形成され、デッキプレート２は床スラブ１と一体化して、そのまま床スラブ１の一部として使用される。
【００１６】
このように、従来のデッキプレート２は、コンクリート３が打設されてから硬化するまでの間はコンクリートの型枠として機能し、コンクリート３が硬化した後は、そのまま床スラブ１の一部として使用されるようになっていた。
【先行技術文献】
【特許文献】
【００１７】
【特許文献１】特開２０１３−１６３９１４号公報
【発明の概要】
【発明が解決しようとする課題】
【００１８】
しかしながら、上述したような従来のデッキプレート２では、一度に多数のデッキプレート２を運搬することができないため、運搬作業の効率が低下し、作業コストが増大するというという問題があった。
【００１９】
すなわち、従来のデッキプレート２は、それ自体は比較的重量の軽い部材であったが、その配筋構造５が丸棒状の部材（上弦材６、下弦材７、ラチス材８）を組み合わせて形成されているため、その高さ方向（図１０（ａ）中上下方向）に占める寸法が大きく、非常に嵩張る部材となっていた。
【００２０】
そして、このような従来のデッキプレート２は、一般的な建築現場で使用される場合、予め工場等で必要な数のデッキプレート２を生産し、それらをトラック等によって運搬して建築現場に搬入していた。
【００２１】
そのため、高さ方向に嵩張るデッキプレート２をトラック等に積み込む際に、トラックの荷台等に積載可能な高さ寸法の限界までデッキプレート２を積み重ねたとしても、積み込んだデッキプレート２の総重量が、トラック等の最大積載重量に対してはるかに小さくなってしまい、トラック等の積載重量に無駄が生じていた。
【００２２】
それにより、大規模な建築現場で使用するための多数のデッキプレート２を建築現場に搬入する際には、上記のような積載重量に無駄が生じた状態のトラック等を用いて、デッキプレート２の運搬作業を繰り返し行うことになり、その分、運送費がかかるだけでなく、トラック等への積み込みや、建築現場での積み下ろしの作業もその度に行う必要があるため、運搬作業の効率が低下し、作業全体のコストの増大を招いていた。
【００２３】
そこで本発明は、上記問題点に鑑みて、運搬作業の効率を向上させると共に、作業コストの低減を図ることができるデッキプレートを提供することを課題とするものである。
【課題を解決するための手段】
【００２４】
上記課題を解決するために、本発明のデッキプレートは、
底板と、
前記底板の上面に設けられ、前記底板の長さ方向に伸びる複数の弦材と、前記弦材の軸線回りに回動可能に設けられた複数のラチス材を有する配筋構造と、
前記配筋構造の前記弦材の上下方向の位置を固定する固定部材と、を備えた
ことを特徴とするものである。
【００２５】
また、本発明のデッキプレートは、
前記配筋構造は、
前記底板の上面より上方に所定の間隔をおいて配置された上弦材と、
前記上弦材より下方に、前記上弦材を挟んで前記底板の幅方向に略左右対称に配置された２つの下弦材と、
前記上弦材と前記２つの下弦材のそれぞれの間を繋ぐように設けられた２つの上ラチス材と、
前記２つの下弦材のそれぞれと前記底板の上面の間を繋ぐように設けられた２つの下ラチス材と、を備え、
前記２つの下ラチス材のそれぞれが、前記底板の上面に対して回動可能に設けられた
ことを特徴とするものである。
【００２６】
また、本発明のデッキプレートは、
前記配筋構造は、
前記底板の上面より上方に所定の間隔をおいて配置された上弦材と、
前記上弦材より下方に、前記上弦材と略平行に伸びる軸部材と、
前記上弦材と前記軸部材の間に、前記上弦材と前記軸部材の中心を通る中央線を挟んで前記底板の幅方向に略左右対称に配置された２つの下弦材と、
前記上弦材と前記２つの下弦材のそれぞれの間を繋ぐように設けられた２つの上ラチス材と、
前記２つの下弦材のそれぞれと前記軸部材の間を繋ぐように設けられた２つの下ラチス材と、を備え、
前記軸部材が、前記底板の上面に対して回動可能に設けられた
ことを特徴とするものである。
【００２７】
また、本発明のデッキプレートは、
前記底板の上面にスペーサー部材が設けられ、
前記配筋構造は、前記スペーサー部材を介して、前記底板の上面より上方に所定の間隔をおいて設けられた
ことを特徴とするものである。
【００２８】
また、本発明のデッキプレートは、
前記固定部材は、前記底板の上面に対して回動可能に設けられ、
前記固定部材の支持部が前記配筋構造の前記弦材に接触して支持することにより、前記配筋構造の前記弦材の上下方向の位置が固定されるよう構成された
ことを特徴とするものである。
【発明の効果】
【００２９】
このような本発明のデッキプレートによれば、
底板と、
前記底板の上面に設けられ、前記底板の長さ方向に伸びる複数の弦材と、前記弦材の軸線回りに回動可能に設けられた複数のラチス材を有する配筋構造と、
前記配筋構造の前記弦材の上下方向の位置を固定する固定部材と、を備えたことにより、
運搬作業の効率を向上させると共に、作業コストの低減を図ることができる。
【図面の簡単な説明】
【００３０】
【図１】本発明の第１の実施の形態に係るデッキプレート１２の正面図である。
【図２】図１に示すデッキプレート１２の側面図である。
【図３】デッキプレート１２の配筋構造１５を折り畳む手順を説明するための図であって、図３（ａ）はデッキプレート１２の側面図であり、図３（ｂ）は固定部材２６を省略したデッキプレート１２の正面図である。
【図４】本発明の第２の実施の形態に係るデッキプレート３２の正面図である。
【図５】図４に示すデッキプレート３２の側面図である。
【図６】デッキプレート３２の配筋構造３５を折り畳む手順を説明するための図であって、図６（ａ）はデッキプレート３２の側面図であり、図６（ｂ）は固定部材２６を省略したデッキプレート３２の正面図である。
【図７】本発明の第３の実施の形態に係るデッキプレート４２を示す図であって、図７（ａ）はその正面図であり、図７（ｂ）はその側面図である。
【図８】図７に示すデッキプレート４２の軸受部材４８の周辺を拡大して示す図であって、図８（ａ）はその拡大正面図であり、図８（ｂ）はその拡大側面図である。
【図９】本発明の第４の実施の形態に係るデッキプレート５２を示す図であって、図９（ａ）はその正面図であり、図９（ｂ）はその側面図である。
【図１０】床スラブ用の従来のデッキプレート２を示す図であって、図１０（ａ）はその正面図であり、図１０（ｂ）はその側面図である。
【図１１】従来のデッキプレート２を用いて床スラブ１を形成するための手順を説明するための、その一部が省略された概略正面図である。
【発明を実施するための形態】
【００３１】
以下、本発明に係るデッキプレートを実施するための形態について、図面に基づいて具体的に説明する。
【００３２】
図１ないし図３は、本発明の第１の実施の形態に係るデッキプレート１２について説明するために参照する図である。なお、図１０及び図１１に示した従来るデッキプレート２と同様の部分には、一部を除き同じ符号を付して説明するものとする。
【００３３】
本実施の形態に係るデッキプレート１２は、図１及び図２に示すように、底板１４と、底板１４の上面に設けられた複数の配筋構造１５と、それぞれの配筋構造１５の、底板１４の長さ方向（図２中左右方向）の両端部に設けられた固定部材２６を備えている。
【００３４】
デッキプレート１２の底板１４は、図１に示すように、図中上下方向に所定の厚さを有し、図の紙面に垂直方向に所定の長さを有する略長方形の板状に形成され、その長さ方向に対して直角な幅方向（図中左右方向）の一方（図中左側）の端部には、連結雄部１４ａが底板１４の長さ方向に沿って設けられ、幅方向の他方（図中右側）の端部には、連結雌部１４ｂが底板１４の長さ方向に沿って設けられている。
【００３５】
これらの連結雄部１４ａ及び連結雌部１４ｂは、それぞれの断面形状が互いに係合するようなフック状に形成されており、従来のデッキプレート２の底板４に設けられた連結雄部４ａ及び連結雌部４ｂ（図１０（ａ）参照）と同様の形状に形成されている。
【００３６】
これにより、複数のデッキプレート１２をその幅方向に並べて配置した際に、それぞれのデッキプレート１２の底板１４の連結雄部１４ａを、これと隣り合って配置された別のデッキプレート１２の底板１４の連結雌部１４ｂに係合させて、複数のデッキプレート１２をその幅方向に連結することができるようになっている。
【００３７】
デッキプレート１２の配筋構造１５は、図１に示すように、底板１４の長さ方向（図の紙面に垂直方向）と略平行に伸びる丸棒状の上弦材１６（弦材）及び下弦材１８（弦材）と、上弦材１６と下弦材１８の間を繋ぐように設けられた上ラチス材２０（ラチス材）と、下弦材１８と底板１４の間を繋ぐように設けられた下ラチス材２２（ラチス材）と、を備えている。
【００３８】
これらの上弦材１６及び２つの下弦材１８は、底板１４の長さ方向と略平行に伸びる上弦材１６が、底板１４の上面より上方に所定の間隔をおいて配置され、この上弦材１６と略平行に伸びる２つの下弦材１８が、上弦材１６より下方に、上弦材１６を挟んで底板１４の幅方向に略左右対称に配置されている。
【００３９】
そして、上弦材１６と２つの下弦材１８は、図１に示すように、上弦材１６と２つの下弦材１８のそれぞれの間を繋ぐように略ハの字状に設けられた２つの上ラチス材２０によって、互いに連結されている。
【００４０】
それぞれの上ラチス材２０は、図２に示すように、細長い丸棒状の部材をその長さ途中の複数の位置で曲げて、山部２０ａと谷部２０ｂが傾斜部２０ｃを介して交互に連続するようなジグザグ状に形成されている。
【００４１】
そして、上ラチス材２０は、その山部２０ａにおいては、上記丸棒状の部材が、上弦材１６の外周面に沿って、少なくとも一周以上緩く巻き付くように形成されると共に、その谷部２０ｂにおいては、上記丸棒状の部材が、下弦材１８の外周面に沿って、少なくとも一周以上緩く巻き付くように形成されている。
【００４２】
これにより、上ラチス材２０は、上弦材１６とそれぞれの下弦材１８の間隔を略一定に保ったまま、上弦材１６と下弦材１８のそれぞれの軸線回りに回動することができるようになっており、それにより、２つの上ラチス材２０は、上弦材１６の軸線を中心とした、２つの上ラチス材２０の開き角度を変更することができるようになっている。
【００４３】
また、２つの下弦材１８は、図１に示すように、２つの下弦材１８のそれぞれと底板１４の上面の間を繋ぐように略ハの字状に設けられた２つの下ラチス材２０によって、底板１４の上面に連結されている。
【００４４】
それぞれの下ラチス材２２は、図２に示すように、細長い丸棒状の部材をその長さ途中の複数の位置で曲げて、山部２２ａと谷部２２ｂが傾斜部２２ｃを介して交互に連続するようなジグザグ状に形成されている。
【００４５】
そして、下ラチス材２２は、その山部２２ａにおいては、上記丸棒状の部材が、下弦材１８の外周面に沿って、少なくとも一周以上緩く巻き付くように形成されると共に、その谷部２２ｂにおいては、上記丸棒状の部材が、底板１４の上面に沿って、底板１４の長さ方向と略平行に伸びるように形成されると共に、それぞれの谷部２２ｂは、その軸線が同一の直線上に位置するように形成されている。
【００４６】
これにより、下ラチス材２２は、下弦材１８の軸線回りに回動することができるようになっており、それにより、上ラチス材２０と下ラチス材２２は、下弦材１８の軸線を中心とした、上ラチス材２０と下ラチス材２２の開き角度を変更することができるようになっている。
【００４７】
このような配筋構造１５が、図１に示すように、底板１４の上面に複数設けられており、これら複数の配筋構造１５は、底板１４の幅方向（図中左右方向）に互いに所定の間隔をおいて略平行に並んで配置されている。
【００４８】
そして、それぞれの配筋構造１５は、図２に示すように、底板１４の上面に沿って形成された下ラチス材２２のそれぞれの谷部２２ｂの長さ方向（図中左右方向）の途中部に設けられた軸受部材２４によって、２つの下ラチス材２２のそれぞれが、底板１４の上面に対して、谷部２２ｂの軸線回りに回動可能に設けられている。
【００４９】
軸受部材２４は、図１に示すように、所定の厚さを有する細長い板状の部材の長さ方向（図中左右方向）の両端部が底板１４の上面に固定されると共に、その長さ中央部が、下ラチス材２２の谷部２２ｂの外周面に沿うように、谷部２２ｂの直径よりわずかに大きな円筒状に曲げられることにより形成され、その円筒形状の内部に下ラチス材２２の谷部２２ｂが緩く挿通されている。
【００５０】
これにより、下ラチス材２２は、谷部２２ｂの軸線を中心とした、下ラチス材２２と底板１４の上面の開き角度を変更することができるようになっている。
【００５１】
デッキプレート１２の固定部材２６は、図１に示すように、所定の長さを有する丸棒状の部材を、図中下側に開口する略Ｃ字形に曲げたような形状に形成され、略Ｃ字形の開口部と反対側（図中上側）の長さ部分には、水平方向（図中左右方向）に伸びる支持部２６ａが形成され、固定部材２６の略Ｃ字形の開口部を挟んで配置される固定部材２６の両端部には、水平方向に伸びる軸部２６ｂがそれぞれ形成されている。
【００５２】
そして、固定部材２６は、図１に示すように、その支持部２６ａが、デッキプレート１２の底板１４の上面に設けられた配筋構造１５の上弦材１６の図中下方の外周面に接触して支持すると共に、それぞれの軸部２６ｂが、底板１４の上面に沿って、底板１４の幅方向（図中左右方向）に略平行に配置されている。
【００５３】
そして、固定部材２６は、それぞれの軸部２６ｂに設けられた軸受部材２８によって、底板１４の上面に対して、軸部２６ｂの軸線回りに回動可能に設けられている。
【００５４】
軸受部材２８は、図２に示すように、所定の厚さを有する細長い板状の部材の長さ方向（図中左右方向）の両端部が底板１４の上面に固定されると共に、その長さ中央部が、固定部材２６の軸部２６ｂの外周面に沿うように、軸部２６ｂの直径よりわずかに大きな円筒状に曲げられることにより形成され、その円筒形状の内部に固定部材２６の軸部２６ｂが緩く挿通されている。
【００５５】
このような固定部材２６が、図２に示すように、底板１４の上面に設けられた配筋構造１５の長さ方向（図中左右方向）の両端部に設けられている。
【００５６】
これにより、デッキプレート１２は、固定部材２６の支持部２６ａによって、配筋構造１５の上弦材１６の長さ両端部が支持されて、上弦材１６の下方向への移動が制限されるため、上弦材１６の高さ位置が固定され、それに伴い、上ラチス材２０や下ラチス材２２によって上弦材１６や底板１４と連結される下弦材１８の位置も固定されるため、配筋構造１５の上弦材１６と２つの下弦材１８が底板１４の上面より上方に所定の間隔をおいて配置されるようになっている。
【００５７】
このような本実施の形態に係るデッキプレート１２は、十分な強度や耐食性を有する鋼材を用いて形成され、鋼板により形成された底板１４の上面に、棒鋼により形成された上弦材１６、下弦材１８、上ラチス材２０、下ラチス材２２からなる配筋構造１５と、棒鋼により形成された固定部材２６が、鋼板により形成された軸受部材２４、２８を用いて回動可能に取り付けられることにより、形成することができる。
【００５８】
そして、このような本実施の形態に係るデッキプレート１２は、配筋構造１５を底板１４の上面に折り畳むことにより、デッキプレート１２の高さ方向に占める寸法を小さくすることができる。
【００５９】
すなわち、図３（ａ）に示すように、固定部材２６を、その支持部２６ａが配筋構造１５の上弦材１６から離れるように回動させることにより、配筋構造１５の上ラチス材２０と下ラチス材２２が、上弦材１６、下弦材１８、及び下ラチス材２２の軸部２２ｂのそれぞれの軸線回りに回動可能となるため、図３（ｂ）に示すように、底板１４の上面に設けられた複数の配筋構造１５のそれぞれについて、２つの下弦材１８を、互いの間隔が大きくなるように水平方向（図中左右方向）の外側に向けてそれぞれ移動させ、上弦材１６を底板１４に接近するように移動させることにより、配筋構造１５を底板１４の上面に折り畳むことができる。
【００６０】
そして、底板１４の上面に設けられた全ての配筋構造１５を折り畳むことにより、デッキプレート１２の高さ方向に占める寸法を小さくすることができる。
【００６１】
これにより、デッキプレート１２をトラック等に積み込む際に、より多くのデッキプレート１２を積み重ねることができ、それにより、運搬作業の回数を減らして、その分の運送費を削減することができると共に、その分のトラック等への積み込みや建築現場での積み下ろしの作業の回数も減らすことができる。
【００６２】
また、折り畳まれた状態（図３（ａ）参照）の配筋構造１５は、上弦材１６を鉛直上方向に持ち上げる操作を行うだけで、元の状態（図１参照）に戻すことができるため、デッキプレート１２を建築現場へ搬入して設置した後の作業も非常に単純なものとなっており、そのような作業で作業全体の効率が低下することを防止できる。
【００６３】
このように、本発明の実施の形態に係るデッキプレート１２によれば、運搬作業の効率を向上させると共に、作業コストの低減を図ることができる。
【００６４】
図４ないし図６は、本発明の第２の実施の形態に係るデッキプレート３２について説明するために参照する図である。なお、前記第１の実施の形態に係るデッキプレート１２と同様の部分には、一部を除き同じ符号を付して説明するものとする。
【００６５】
本実施の形態に係るデッキプレート３２は、前記第１の実施の形態に係るデッキプレート１２における配筋構造１５（図１参照）の代わりに、図４及び図５に示すような配筋構造３５を備えている点において、前記第１の実施の形態に係るデッキプレート１２とはその構成が異なるものである。
【００６６】
デッキプレート３２の配筋構造３５は、図４に示すように、前記第１の実施の形態に係るデッキプレート１２の配筋構造１５と同様に、底板１４の長さ方向（図の紙面に垂直方向）と略平行に伸びる丸棒状の上弦材１６及び２つの下弦材１８と、これらの上弦材１６と２つの下弦材１８のそれぞれの間を繋ぐように略ハの字状に設けられた２つの上ラチス材２０を備えている。
【００６７】
そしてこれらに加えて、配筋構造３５は、上弦材１６と略平行に伸びる丸棒状の軸部材３６（弦材）と、この軸部材３６と２つの下弦材１８のそれぞれの間を繋ぐように設けられた２つの下ラチス材３８（ラチス材）を備えている。
【００６８】
これらの上弦材１６及び２つの下弦材１８と及び軸部材３６は、図４に示すように、底板１４の長さ方向と略平行に伸びる上弦材１６が、底板１４の上面より上方に所定の間隔をおいて配置され、この上弦材１６と略平行に伸びる軸部材３６が、上弦材１６の下方に底板１４の上面に沿って配置され、これらの上弦材１６や軸部材３６と略平行に伸びる２つの下弦材１８が、上弦材１６と軸部材３６の略中間の高さ位置に、上弦材１６と軸部材３６の中心を通る中央線を挟んで底板１４の幅方向（図中左右方向）に略左右対称に配置されている。
【００６９】
そして、２つの下弦材１８と軸部材３６は、図４に示すように、２つの下弦材１８のそれぞれと軸部材３６の間を繋ぐように略逆ハの字状に設けられた２つの下ラチス材３８によって、互いに連結されている。
【００７０】
それぞれの下ラチス材３８は、図５に示すように、細長い丸棒状の部材をその長さ途中の複数の位置で曲げて、山部３８ａと谷部３８ｂが傾斜部３８ｃを介して交互に連続するようなジグザグ状に形成されている。
【００７１】
そして、下ラチス材３８は、その山部３８ａにおいては、上記丸棒状の部材が、下弦材１８の外周面に、少なくとも一周以上緩く巻き付くように形成されると共に、その谷部３８ｂにおいては、上記丸棒状の部材が、軸部材３６の外周面に、少なくとも一周以上緩く巻き付くように形成されている。
【００７２】
これにより、下ラチス材３８は、それぞれの下弦材１８と軸部材３６の間隔を略一定に保ったまま、それぞれの下弦材１８と軸部材３６の軸線回りに回動することができるようになっている。
【００７３】
そして、それにより、２つの下ラチス材３８は、軸部材３６の軸線を中心とした、２つの下ラチス材３８の開き角度を変更することができると共に、上ラチス材２０と下ラチス材３８は、下弦材１８の軸線を中心とした、上ラチス材２０と下ラチス材３８の開き角度を変更することができるようになっている。
【００７４】
このような配筋構造３５が、図４に示すように、底板１４の上面に複数設けられており、これら複数の配筋構造３５は、底板１４の幅方向（図中左右方向）に互いに所定の間隔をおいて略平行に並んで配置されている。
【００７５】
そして、それぞれの配筋構造３５は、図５に示すように、底板１４の上面に沿って形成された軸部材３６の長さ方向（図中左右方向）の途中部に設けられた複数の軸受部材４０によって、軸部材３６が、底板１４の上面に対して、軸部材３６の軸線回りに回動可能に設けられている。
【００７６】
軸受部材４０は、図４に示すように、所定の厚さを有する細長い板状の部材の長さ方向（図中左右方向）の両端部が底板１４の上面に固定されると共に、その長さ中央部が、軸部材３６の外周面に沿うように、軸部材３６の直径よりわずかに大きな円筒状に曲げられることにより形成され、その円筒形状の内部に軸部材３６が緩く挿通されている。
【００７７】
これにより、下ラチス材３８は、軸部材３６の軸線を中心とした、下ラチス材３８と底板１４の上面の角度を変更することができるようになっている。
【００７８】
その他の構成は、前記第１の実施の形態に係るデッキプレート１２と同様であるため、このような本発明の第２の実施の形態に係るデッキプレート３２を用いることによっても、運搬作業の効率を向上させると共に、作業コストの低減を図ることができる。
【００７９】
そして、このような配筋構造３５を備えた、本実施の形態に係るデッキプレート３２においては、図６（ａ）に示すように、固定部材２６を、その支持部２６ａが配筋構造３５の上弦材１６から離れるように回動させることにより、配筋構造３５の上ラチス材２０と下ラチス材３８が、上弦材１６、下弦材１８、及び軸部材３６のそれぞれの軸線回りに回動可能となるため、図６（ｂ）に示すように、上弦材１６を底板１４に接近するように移動させることにより、配筋構造３５を底板１４の上面に折り畳むことができる。
【００８０】
図７及び図８は、本発明の第３の実施の形態に係るデッキプレート４２について説明するために参照する図である。なお、前記第１の実施の形態に係るデッキプレート１２と同様の部分には、一部を除き同じ符号を付して説明するものとする。
【００８１】
本実施の形態に係るデッキプレート４２は、前記第１の実施の形態に係るデッキプレート１２における底板１４（図１参照）の代わりに、図７（ａ）に示すような底板４４を備えている点において、前記第１の実施の形態に係るデッキプレート１２とはその構成が異なるものである。
【００８２】
デッキプレート４２の底板４４は、図７（ａ）に示すように、その上面に、底板４４の上面が下方向へ向けて凹んでその高さ位置が低くなるような谷底面４４ａが複数形成されており、それぞれの谷底面４４ａが、底板４４の長さ方向に沿って形成されると共に、複数の谷底面４４ａが、底板４４の幅方向に互いに所定の間隔をおいて略平行に並ぶような、波板状に形成されている。
【００８３】
そして、底板４４の上面には、細長い丸棒状の部材をその長さ途中の複数の位置で曲げて形成されたスペーサー部材４６が、底板４４の幅方向に沿って伸びるように配置されており、スペーサー部材４６の長さ途中部には、底板４４の上面より上方に所定の間隔をおいて、底板４４の幅方向に伸びる取付部４６ａが複数形成されている。
【００８４】
そして、図７（ｂ）に示すように、そのようなスペーサー部材４６が、底板４４の長さ方向（図中左右方向）に互いに所定の間隔をおいて略平行に並ぶように複数配置され、溶接等によって底板４４の上面に固定されている。
【００８５】
そして、前記第１の実施の形態に係るデッキプレート１２（図１参照）と同様の配筋構造１５が、底板４４の上面に設けられたスペーサー部材４６を介して、底板４４の上面より上方に所定の間隔をおいて取り付けられている。
【００８６】
すなわち、配筋構造１５は、図８（ａ）に示すように、そのラチス材２２の谷部２２ｂが、スペーサー部材４６の取付部４６ａの長さ途中部に形成された凹部４６ｂに係合するように、スペーサー部材４６の上に配置されると共に、図７（ｂ）に示すように、ラチス材２２のそれぞれの谷部２２ｂの長さ方向（図中左右方向）の途中部に設けられた軸受部材４８によって、下ラチス材２２が、スペーサー部材４６の取付部４６ａに対して、谷部２２ｂの軸線回りに回動可能に設けられている。
【００８７】
軸受部材４８は、所定の長さを有する丸棒状の部材の長さ中央部４８ａが、図８（ａ）に示すように、下ラチス材２２の谷部２２ｂの外周面に沿うように、谷部２２ｂの直径よりわずかに大きな略逆Ｕ字状に曲げられると共に、図８（ｂ）に示すように、この中央部４８ａの長さ両端部から伸びる軸受部材４８のそれぞれの端部４８ｂが、スペーサー部材４６の取付部４６ａの外周面に沿うように略Ｕ字状に曲げられて形成されている。
【００８８】
そして、軸受部材４８の中央部４８ａの略逆Ｕ字形状の内側部に下ラチス材２２の谷部２２ｂが緩く挿通されると共に、軸受部材４８の略Ｕ字形状の端部４８ｂがスペーサー部材４６の取付部４６ａに係止することにより、下ラチス材２２の谷部２２ｂがその軸線回りに回動可能に設けられている。
【００８９】
その他の構成は、前記第１の実施の形態に係るデッキプレート１２と同様であるため、このような本発明の第３の実施の形態に係るデッキプレート４２を用いることによっても、運搬作業の効率を向上させると共に、作業コストの低減を図ることができる。
【００９０】
そして、このような底板４４を備えた、本実施の形態に係るデッキプレート４２においては、図７（ａ）に示すように、底板４４の上面にスペーサー部材２６を設け、そのスペーサー部材２６に配筋構造１５を取り付けることにより、配筋構造１５の上弦材１６や下弦材１８と底板４４の上面の間に、コンクリートを充填するためのより大きな空間（かぶり厚さ）を確保することができるため、上弦材１６や下弦材１８とコンクリートをより有効に付着させると共に、上弦材１６や下弦材１８の腐食を防止し、鉄筋コンクリート構造の強度を向上することができる。
【００９１】
図９は、本発明の第４の実施の形態に係るデッキプレート５２について説明するために参照する図である。なお、前記第２及び第３の実施の形態に係るデッキプレート３２，４２と同様の部分には、一部を除き同じ符号を付して説明するものとする。
【００９２】
本実施の形態に係るデッキプレート５２は、前記第２の実施の形態に係るデッキプレート３２における底板１４（図４参照）の代わりに、前記第３の実施の形態に係るデッキプレート４２における底板４４（図７（ａ）参照）を備えている点において、前記第２の実施の形態に係るデッキプレート３２とはその構成が異なるものである。
【００９３】
すなわち、デッキプレート５２においては、図９（ａ）に示すように、前記第３の実施の形態に係るデッキプレート４２（図７（ａ）参照）と同様の底板４４の上面に設けられたスペーサー部材４６の取付部４６ａに、前記第２の実施の形態に係るデッキプレート３２（図４参照）と同様の配筋構造３５が取り付けられている。
【００９４】
そして、配筋構造３５は、図９（ｂ）に示すように、その軸部材３６の長さ方向（図中左右方向）の途中部に設けられた複数の軸受部材５４によって、下ラチス材３８が、スペーサー部材４６の取付部４６ａに対して、軸部材３６の軸線回りに回動可能に設けられている。
【００９５】
軸受部材５４は、前記第３の実施の形態に係るデッキプレート４２の軸受部材４８（図８参照）と同様の形状に形成されており、所定の長さを有する丸棒状の部材の長さ中央部が、軸部材３６の外周面に沿うように、軸部材３６の直径よりわずかに大きな略逆Ｕ字状に曲げられると共に、この中央部の長さ両端部から伸びる軸受部材５４のそれぞれの端部が、スペーサー部材４６の取付部４６ａの外周面に沿うように略Ｕ字状に曲げられて形成されている。
【００９６】
そして、軸受部材５４の中央部の略逆Ｕ字形状の内側部に軸部材３６が緩く挿通されると共に、軸受部材５４の略Ｕ字形状の端部がスペーサー部材４６の取付部４６ａに係止することにより、軸部材３６がその軸線回りに回動可能に設けられている。
【００９７】
その他の構成は、前記第２の実施の形態に係るデッキプレート３２と同様であるため、このような本発明の第４の実施の形態に係るデッキプレート５２を用いることによっても、運搬作業の効率を向上させると共に、作業コストの低減を図ることができる。
【００９８】
そして、このような本実施の形態に係るデッキプレート５２においては、図７に示すデッキプレート４２と同様に、配筋構造３５の上弦材１６、下弦材１８、及び軸部材３６と底板４４の上面の間に、コンクリートを充填するためのより大きな空間（かぶり厚さ）を確保できるため、上弦材１６、下弦材１８、及び軸部材３６とコンクリートをより有効に付着させると共に、上弦材１６、下弦材１８、及び軸部材３６の腐食を防止し、鉄筋コンクリート構造の強度を向上することができる。
【００９９】
なお、本発明は、前記実施の形態のみに限定されるものではなく、本発明の目的を達成することができる範囲内であれば、種々の変更が可能である。
【０１００】
例えば、前記第１の実施の形態に係るデッキプレート１２においては、配筋構造１５のラチス材（上ラチス材２０、下ラチス材２２）は、一つの細長い丸棒状の部材をジグザグ状に曲げて形成されていたが、ラチス材は、上弦材１６と下弦材１７の間を繋ぐような形状であれば他のどのような形状であってもよく、また、ラチス材が複数の部材で構成されていてもよい。
【０１０１】
また、前記実施の形態に係るデッキプレート１２においては、配筋構造１５のラチス材（上ラチス材２０、下ラチス材２２）は、その丸棒状の部材を、弦材（上弦材１６、下弦材１８）の外周面に巻付けることにより、これらの弦材の軸線回りに回動可能に設けられていたが、ラチス材はこれらの弦材の軸線回りに回動可能であれば他のどのような形態で取り付けられていてもよく、例えば、ラチス材の上下両端部に円筒状やリング状の部材を固定して、そこに弦材が緩く挿通されるようになっていてもよい。
【０１０２】
また、前記実施の形態に係るデッキプレート１２においては、細長い板状の部材を曲げて形成された軸受部材２４によって、配筋構造１５が底板１４の上面に取り付けられていたが、配筋構造１５は、底板１４の上面に対して、下ラチス材２２が回動可能であればどのような形態で取り付けられていてもよく、例えば、円筒状やリング状の軸受部材を用いてもよく、また、そのような軸受形状が底板１４の上面に予め一体的に形成されていてもよい。
【０１０３】
また、前記実施の形態に係るデッキプレート１２においては、略Ｃ字形に形成された固定部材２６が、底板１４の上面に回動可能に設けられていたが、固定部材によって、配筋構造１５の上弦材１６の下方向への移動が制限されて、上弦材１６の高さ位置が固定することができれば、他のどのような形態であってもよい。
【０１０４】
例えば、デッキプレート１２においては、図１に示すように、１つの固定部材２６が１つの配筋構造１５の上弦材１６を支持するようになっているが、固定部材２６の支持部２６ａの長さ寸法を大きくして、１つの固定部材２６が２つ以上の配筋構造１５の上弦材１６をまとめて支持するようにしてもよい。
【０１０５】
また、デッキプレート１２においては、図１に示すように、固定部材２６が配筋構造１５の上弦材１６を下側から支持することにより、その高さ位置が固定されるようになっているが、固定部材に形成された嵌合部に、上弦材１６が嵌合することにより、その高さ位置が固定されるようにしてもよく、また、針金等を用いて固定部材に上弦材１６を結束することにより、その高さ位置が固定されるようにしてもよいし、
【０１０６】
また、デッキプレート１２においては、図１に示すように、固定部材２６は、軸受部材２８によって底板１４の上面に予め取り付けられているが、固定部材を別部材として、後から配筋構造１５に取り付けるようにしてもよい。
【０１０７】
また、前記第１ないし第４の実施の形態に係るデッキプレート１２，３２，４２，５２は、図１１に示すような床スラブ１を形成するために用いられるだけでなく、例えば壁材、柱材、屋根材等、他の鉄筋コンクリートの構造物を形成するために用いてもよい。
【符号の説明】
【０１０８】
１  床スラブ
２  デッキプレート
３  コンクリート
４  底板
４ａ  連結雄部
４ｂ  連結雌部
５  配筋構造
６  上弦材
７  下弦材
８  ラチス材
８ａ  山部
８ｂ  谷部
８ｃ  傾斜部
９  型枠
１２  デッキプレート
１４  底板
１４ａ  連結雄部
１４ｂ  連結雌部
１５  配筋構造
１６  上弦材
１８  下弦材
２０  上ラチス材
２０ａ  山部
２０ｂ  谷部
２０ｃ  傾斜部
２２  下ラチス材
２２ａ  山部
２２ｂ  谷部
２２ｃ  傾斜部
２４  軸受部材
２６  固定部材
２６ａ  支持部
２６ｂ  軸部
２８  軸受部材
３２  デッキプレート
３５  配筋構造
３６  軸部材
３８  下ラチス材
３８ａ  山部
３８ｂ  谷部
３８ｃ  傾斜部
４０  軸受部材
４２  デッキプレート
４４  底板
４４ａ  谷底面
４６  スペーサー部材
４６ａ  取付部
４６ｂ  凹部
４８  軸受部材
４８ａ  中央部
４８ｂ  端部
５２  デッキプレート
５４  軸受部材
【図１】
2020139289.tif 000003
【図２】
2020139289.tif 000004
【図３】
2020139289.tif 000005
【図４】
2020139289.tif 000006
【図５】
2020139289.tif 000007
【図６】
2020139289.tif 000008
【図７】
2020139289.tif 000009
【図８】
2020139289.tif 000010
【図９】
2020139289.tif 000011
【図１０】
2020139289.tif 000012
【図１１】
2020139289.tif 000013